(57)【要約】  本発明は、少なくとも一層のプラスチック材料からなる、詳しくはアンプルである容器に関するものであり、少なくとも一つの容器開口部（１２）を介して送出できる送出媒体を蓄えることのできる送出チャンバを備えている容器であって、前記少なくとも一つの容器開口部（１２）は脱着可能な部品（１４）により閉止することができる。前記送出チャンバ（１０）が、少なくとも一つの別の容器開口部（１６）を有していて、前記少なくとも一つの別の容器開口部（１６）は、脱着可能な別の閉止部品（１８）によりそれぞれ閉止することができることを特徴としている。それぞれの容器用に、少なくとも二つの異なるタイプの容器開口部（１２，１６）が備えられていて、それらの安価に製造でき、そして複数が接続できるようになっている。
2008518856.tif 000002
【特許請求の範囲】
【請求項１】
少なくとも一層のプラスチック材料からなる、詳しくはアンプルである容器であり、少なくとも一つの容器開口部（１２）を介して送出できる送出媒体を蓄えることのできる送出チャンバ（１０）を備えている容器であって、前記少なくとも一つの容器開口部（１２）は着脱可能な閉止部品（１４）により閉止することのできる容器において：
前記送出チャンバ（１０）が、少なくとも一つの別の容器開口部（１６）を有していて、前記少なくとも一つの別の容器開口部（１６）は、着脱可能な別の閉止部品（１８）によりそれぞれ閉止することができることを特徴とする、
容器。
【請求項２】
前記容器開口部（１２，１６）それぞれが、前記送出チャンバ（１０）への還移部分となっているネック部分（２０，２２）の自由端部に設置された、それぞれの送出媒体のための充填位置及び／又は送出位置を形成していて；そして種々のタイプの前記容器開口部（１２，１６）が、異なる充填継手及び／又は送出継手用のお互いに異なるネック構造（２０，２２）を有している、請求項１に記載の容器。
【請求項３】
一つのタイプの前記容器開口部（１６）が、外部ジャケット面を備えた自由端面に向かって円錐状にテーパの付いているネック部分（２２）、又は円筒状のネック部分（２２）を有していて；そして別のタイプの前記容器開口部（１２）が、内部ジャケット面を備えた自由端部に向かって円錐状に広がっているか又は円筒状の、別のネック部分（２０）を有している請求項２に記載の容器。
【請求項４】
前記送出チャンバ（１０）が、その両端部（３８，４０）（最上部及び最下部）にそれぞれのタイプの容器開口部（１２，１６）の一つを有していて、前記両端部（３８，４０）はお互いに離間して対面しており、そしてお互いの長手軸は同軸になっている、請求項１〜３のいずれか一項に記載の容器。
【請求項５】
前記閉止部品（１４，１８）はねじ込み閉止栓の形状に作られている、請求項１〜４のいずれか一項に記載の容器。
【請求項６】
前記送出チャンバ（１０）及び／又はそれぞれのネック部分（２０，２２）が、それぞれの前記充填継手及び／又は送出継手の対応する受け具（４２，４４）の少なくとも一つに係合するための、少なくとも一つの受け具（４２，４４）を有している、請求項２〜５のいずれか一項に記載の容器。
【請求項７】
それぞれの前記容器開口部（１２，１６）の少なくとも一つの一方側に固定用開口部（５０）があって、前記固定用開口部（５０）は製品情報、患者情報等を添付するためのものである、請求項１〜６のいずれか一項に記載の容器。
【請求項８】
同時押出プロセスにより製作することのできる数層のプラスチック材料を有している、請求項１〜６のいずれか一項に記載の容器。
【発明の詳細な説明】
【技術分野】
【０００１】
本発明は、少なくとも一層のプラスチック材料からなる、詳しくはアンプルである容器に関するものであり、少なくとも一つの容器開口部を介して送出できる送出媒体を蓄えることのできる送出チャンバを備えている容器であって、少なくとも一つの容器開口部は脱着可能な部品により閉止することができる。
【背景技術】
【０００２】
独国特許第３８３３０３６号明細書において、二つの容器により形成された二つのチャンバを備えた二重式容器、詳しくは二重式アンプルを開示していて、二つの容器は、お互いにならんで平行に設置されており、単一のねじ込み式閉止栓に成形された脱着式閉止栓を有している。従来形式のものにおいて、二つの容器はお互いに脱着可能に接続されていて、充填開口部及び／又は送出開口部を形成している一方の容器のネック部分は、ネック部分の自由端部に向かってテーパの付いた円錐状の外部ジャケット面を備えていて、充填開口部及び／又は送出開口部を形成している他方の容器のネック部分は、内部円錐体を備えており、その円錐体は一方の容器の外部円錐体に一致するように作られ、そして容器の内部に対してテーパが付いている。
【０００３】
従来の二重式容器において、二つの容器の内容物は、別の容器を必要とすることなく、一体にされ混合することができる。円錐体の気密プラグ閉止栓が二つの容器を従来の方法でかく拌することを可能にしている。二つの閉止栓は単一のねじ込み式閉止栓に成形されているので、それらを支えているネック部分から取り外すことができ、このねじ込み式閉止栓を同時に使用して、混合プロセスを行なうことができる。もし従来の方法において、プラグ継手が作られる前に二つの容器の少なくとも一方がさらに変形されると、圧縮されわずかに低圧となり液体（送出媒体）が他の容器から吸引されてしまう。さらに、一方の容器のネック部分が標準医療装置として作られているアンプルの内部円錐体を形成することが保証されていて、注射器の円錐体をネック部分に挿入できるようになっている。さらに、一方の容器を充填しないことが可能である。接続状態において、比較的大きなスペースが使用可能になっている。このことは、例えば容器に充填された内容物を使用前と引き出したり、押し出したりかく拌したりしなければならない場合にそれらを容易に行なえる利点がある。
【０００４】
従来の方法の欠点は、容器各々が唯一のタイプの容器開口部しか有していないので、同一の送出開口部を備えた容器において、これらの容器はお互いに数個が次々に組合わされアンプルブロックとなっているので、アンプルブロックから分離された後には適切な対が正しく収集され組合わされねばならない場合、問題が生じる。もし容器が個々に使用されるとしても、意図する適切な継手の代りに、現場においてそれぞれの送出チャンバにおける送出開口部形状の適切な充填継手及び／又は送出継手がないということを排除することができない。さらに、従来の方法において、二つの異なるタイプ容器のための工具を使用しなければならないので、生産コストが増大する。
【発明の開示】
【発明が解決しようとする課題】
【０００５】
本発明の目的は、従来の容器の前述の欠点を解決しようとするもので、詳しくは、生産技術の点においてすぐれた生産方法であり、そして接続方法の点において互換性のあるものである。
【課題を解決するための手段】
【０００６】
前述の目的は、請求項１の特徴部分により達成されている。すなわち、送出チャンバが、少なくとも一つの別の容器開口部を有していて、少なくとも一つの別の容器開口部は、着脱可能な別の閉止部品によりそれぞれ閉止することができることを特徴としている。表示された容器と同様に正しく作られている隣接したアンプル又は隣接した容器が含まれている場合、個々の容器において、少なくとも二つの容器開口部が備えられていて、それらは他のタイプの容器開口部それぞれに接続することができるようになっている。二重式チャンバの利点を保持する場合、一つのタイプの容器だけが必要とされるので、工具のコスト従って生産コストは低減されている。
【０００７】
本発明における、異なるタイプの容器開口部を備えた容器は、現存する充填継手及び／又は送出継手を、医療スタンダードに合致している現存する容器開口部の一方に正しく接続することにより、現場において現存する送出装置に接続することができる。
【０００８】
好適な実施形態において、容器開口部それぞれが、前記送出チャンバへの還移部分となっているネック部分の自由端部設置された、それぞれの送出媒体のための充填位置及び／又は送出位置を形成していて；そして種々のタイプの容器開口部が、異なる充填継手及び／又は送出継手用のお互いに異なるネック構造を有している。一つのタイプの容器開口部が、外部ジャケット面を備えた自由端面に向かって円錐状にテーパの付いているネック部分、又は円筒状のネック部分を有していて；そして別のタイプの容器開口部が、内部ジャケット面を備えた自由端部に向かって円錐状に広がっているか又は円筒状の別のネック部分を有している場合、標準の雄継手点及び雌継手点両層が、いわゆるＬｖｅｒロックが容器用に作られている。
【０００９】
本発明における好適な実施形態において、送出チャンバ及び／又はそれぞれのネック部分が、それぞれの充填継手及び／又は送出継手の対応する受け具の少なくとも一つに係合するための、少なくとも一つの受け具を有している。それぞれの継手を容器に確実に固定することに加えて、対応する受け具がお互いに適切に相互作用する場合、使用される継手が送出開口部に合っていることをチェック可能になっている。
【発明を実施するための最良の形態】
【００１０】
本発明における容器について、添付図に図示した実施形態を用いて以下に説明する。
【００１１】
図１に図示するアンプルブロックは概略図であって、合計四つの容器を図示しており、容器の列は両側に伸びている。個々の容器はプラスチック材料を用いたいわゆるブロー成形又は真空成形により形成されている。さらに、ｂｏｔｔｌｐａｃｋ（登録商標）プロセスを用いて、容器を製造することが可能であって、作業ステーションにおいて容器がブロー成形され、そして無菌状態で充填されシールされる。隣接する両容器の同時的な変形の際中に、両者を一体に保持している二つの容器の本体間の分離区画が形成され、そして分離区画は、最初に隣接する二つの容器をお互いに接続しているけれども、一方の容器を他方の容器に対して分離区画周囲で回転することにより、分離区画は分離することができる。
【００１２】
各容器は送出媒体を蓄えている送出チャンバ１０を有している。アンプルブロックの個々の容器には同一の送出媒体又はお互いに混合することのできるお互いに異なる送出媒体が入っていてもよくて、そして送出チャンバ１０を空にすること又はガス媒体で充填することも可能であって、従ってガス媒体は隣接した容器の送出媒体と任意に相互作用させることができる。送出媒体は着脱式閉止部品１４により閉止することのできる容器開口部１２を介して送出することができる。さらに、それぞれの送出チャンバ１０は少なくとも一つの他の容器開口部１６を有していて、その容器開口部１６は、別の着脱式閉止部品１８により閉止することができる。
【００１３】
それぞれの容器開口部１２，１６がそれぞれの送出媒体に対する充填点及び／又は送出点を形成していて、その点は、送出チャンバ１０への還移部分であるネック部分２０又は２２の自由端部に位置しており、異なるタイプの容器開口部１２，１６がネック構造２０，２２を有していて、そのネック構造２０，２２は、異なる充填継手及び／又は送出継手のためにお互いに異なっていて、詳しくは他の容器のネック部分２２及び２０に対応する形状となっている。
【００１４】
従って、一方のタイプの容器開口部１６がネック部分２２を有していて、そのネック部分２２は外部ジャケット面を備えた自由端部に向かって円錐状にテーパが付いていて、他のタイプの容器開口部１２が別のネック部分２０を有していて、そのネック部分２０はほぼ円筒状であるけれども；内部ジャケット面を備えたその自由端部に向けて円錐状にテーパが付いている。詳しくは、円筒状構造には、そう入される錐体が、うまく差し込まれることを保証するために、例えばネック部分２２の形状の対応するキャリブレーション（ｃａｌｉｂｒａｔｉｏｎ）がある。
【００１５】
この接続状態が図３に図示されていて、下方の容器のネック部分２０が第一の円筒状差込み面２４と、第二の上部差込み面２６とを有している。ネック部分２０における二つの差込み面２４及び２６の間には、空洞２８があって、貫通しているネック部分２２の円錐状のジャケット外面と共にその空洞２８は、差込み面２４，２６を介しての無菌シール接触となることを確実なものにしている。前述の差込み接触のために、補強用クロスピース３０が使用されていて、そのクロスピース３０は両側に通っていて、そして、ネック部分２０に対しての拡大運動に対する対応するカウンタステー（ｃｏｕｎｔｅｒｓｔａｙ）を形成している。これらの補強用クロスピース３０は当初は、閉止部分１４の構成要素であって、閉止部分１４の中間部分３２に移動後には、容器開口部１２が雄の係合部分２２から係合解除される。閉止部分１４，１８はその一部分が従来形のねじ込み式閉止栓として作られている。閉止栓を弱められている分離区画からはずした後に、除去用開口部を付属アンプルのために取り除くことができる。下部閉止部分１８において、分離区画３４は着脱可能に閉止ボール３６により閉じられる。本実施形態において、それぞれ異なるタイプの容器開口部１２，１６が、お互いに（上部と下部とに）離間して対面している両端部３８，４０に設置されている。
【００１６】
さらに、前述の発明は、容器の最上部におけるネック部分２０への半径方向の拡大と、それぞれの補強用クロスピース３０の上方への延伸とにおいて受け具形状の受け具４２があって、それは対応する凹部に着脱可能にロックすることができるようになっていて、その凹部は他の容器の送出チャンバの最下部における別の受け具４４としての凹部である。この目的のために凹部４４は凹面として作られていて、その中に受け具４２の突起が凸面としてロックされ、弾性的にフレキシブルになるようになっている。図１に図示するように、送出チャンバ１０の下端部における係合のために、溝４６、すなわち凹部４４を形成する間に入って係合している溝４８が備えられている。詳述しないが、実施形態において、これらの受け具を省いてもよくて、従来型のＬｖｅｒロック装置を用いた継手であってもよい。
【００１７】
図３に図示する相互差込み式の二つの容器のかわりに、前述の送出プロセスを実行するためにそれぞれの容器を外部継手に接続してもよい。各容器の最上部と最下部とにおける二つの異なる送出装置により、医療用スタンダードの継手の現場において送出の実現性が強化されている。さらに容器が少なくともその一方に、例えば製品情報、患者情報等を添付することのできる固定式開口部５０を有している。この方法で、点滴の目的のために、固定式開口部５０を用いて容器を吊り下げることができる。さらに、二つ以上の容器を一列に接続することができて、多種の混合体を準備することができる。
【００１８】
容器の製造には、いわゆるｂｏｔｔｌｐａｃｋ（登録商標）同時押出プロセスを使用することができて、プラスチック材料がチューブ形状に押出され、そしてそれぞれの容器を成形するための成形工具の内面に対して差圧（吹込成形）により設置され、それぞれの容器には、容器開口部１２，１６の少なくとも一方を介して充填装置によりそれぞれの送出媒体が充填され、そして容器開口部１２，１６は無菌状態でシールにより密封される。押出し用の種々のプラスチック材料が同時押出に使用されていて、それぞれの容器はその一部が数層のプラスチック材料で作られていて、少なくともその一層は保護層であることが望ましい。個々の層は異なるプラスチック材料、例えば、ポリオレフィン、ポリアミド、ポリプロピレン、低密度ポリエチレン、コポリマ及びエチレン−ビニールアルコールコポリマで作られている。
【図面の簡単な説明】
【００１９】
【図１】図１は、合計で四個のコンテナを備えたアンプルブロックの正面図である。
【図２】図２は、図１における個々のコンテナの部分側面図である。
【図３】図３は、コンテナ継手の断面図であって、容器の最上部がＬｖｅｒロック継手により別の容器の最下部に接続されている。
【図１】
2008518856.tif 000003
【図２】
2008518856.tif 000004
【図３】
2008518856.tif 000005
【国際調査報告】
2008518856.tif 000006
2008518856.tif 000007
2008518856.tif 000008
2008518856.tif 000009